(57)【要約】  基材と、基材上に積層された転写層であって、少なくとも剥離層、ＯＶＤ層、及び、接着層を有する転写層と、を備えるホログラム画像形成用媒体であって、転写層のうち、ＯＶＤ層以外のいずれかの層が発光性微粒子を含み、発光性微粒子が、赤外線の波長から紫外線の波長までの波長領域内に励起スペクトルのピーク波長を有し、かつ、発光性微粒子の発光における極大波長が、励起スペクトルのピーク波長と互いに異なる。
2016208590.tif 000002
【特許請求の範囲】
【請求項１】
基材と、
前記基材上に積層された転写層であって、少なくとも剥離層、ＯＶＤ層、及び、接着層を有する前記転写層と、
を備えるホログラム画像形成用媒体であって、
前記転写層のうち、前記ＯＶＤ層以外のいずれかの層が発光性微粒子を含み、
前記発光性微粒子が、赤外線の波長から紫外線の波長までの波長領域内に励起スペクトルのピーク波長を有し、かつ、前記発光性微粒子の発光における極大波長が、前記励起スペクトルのピーク波長と互いに異なる
ホログラム画像形成用媒体。
【請求項２】
前記ＯＶＤ層が回折格子を含む複数の微細凹凸構造部を有し、前記微細凹凸構造部の間において、前記回折格子における空間周波数及び格子角度の少なくとも一方が互いに異なる
請求項１に記載のホログラム画像形成用媒体。
【請求項３】
前記接着層が、前記発光性微粒子を含む
請求項１又は２に記載のホログラム画像形成用媒体。
【請求項４】
請求項１から３のいずれかに記載のホログラム画像形成用媒体を用いて形成されたホログラム画像を含む画像表示媒体。
【請求項５】
請求項２に記載のホログラム画像形成用媒体を用いて形成されたホログラム画像を含む画像表示媒体であって、
前記画像表示媒体は、前記画像表示媒体を所有する所有者を認証するための認証用画像であって、前記発光性微粒子が形成する前記認証用画像を含み、
前記発光性微粒子の発光における極大波長が赤外線の波長領域に含まれ、
前記回折格子は、前記回折格子における前記空間周波数によって前記回折格子の射出する回折光の波長が可視領域に含まれるように構成されている
画像表示媒体。
【発明の詳細な説明】
【技術分野】
【０００１】
本発明は、ホログラム画像形成用媒体、及び、それを用いた画像表示媒体に関わるものである。
【背景技術】
【０００２】
パスポート及びＩＤ（Identification）カードなどの個人認証媒体の多くは、目視による個人認証を可能とするために、顔画像を有している。例えば、パスポートでは、従来、顔画像を焼き付けた印画紙が冊子体に貼り付けられていた。しかしながら、そのようなパスポートは、印画紙の貼り替えによって改竄される恐れがある。【０００３】
このような理由で、近年では、顔画像の情報をデジタル化し、これを冊子上に再現する方法が採られている。この画像再現方法として、昇華型や顔料を分散させた熱溶融型の転写リボンによる感熱転写記録法、あるいは、電子写真法などが検討されている。【０００４】
パスポートへの画像再現方法として、上記方法以外に、インクジェットプリンターによる記録法（例えば、特許文献１参照）、炭酸ガスもしくはＹＡＧレーザーと感熱発色剤とを使用したレーザー印字記録法（例えば、特許文献２参照）などが挙げられる。さらには、パスポートへの画像再現方法として、基材中に存在する炭素（Ｃ）を利用して、基材の深さ方向にも印字記録するレーザーエングレービング印字記録法（例えば、特許文献３参照）などが挙げられる。【０００５】
さらに、この種の個人認証データを含む画像表示体として、画像データに基づいて形成された画像パターンをポリ塩化ビニルなどから形成されたカード基材上に備えたものなどが知られている。あるいは、画像表示体として、上記画像パターンに加えて、ＯＶＤ（Optical Variable Device）画像を表示するものが知られている。ＯＶＤ画像は、ホログラム、回折格子、あるいは、多層干渉を用いた光学的薄膜などを用いて表示される画像である。なお、光学的薄膜によれば、光学設計によりカラーシフトなどの効果が得られる。【０００６】
これらホログラムや回折格子を用いるＯＶＤ技術は、高度な製造技術を要し、複製の難しいことから有効な偽造防止手段としてクレジットカード、ＩＤカード、及び、プリペイドカードなどのカード類に利用されてきた。さらには、その装飾性の高さから、包装材、書籍、パンフレット、及び、ＰＯＰなどへの利用も少なくない。これらＯＶＤを物品に貼着するための手段として、従来から、転写箔を用いて転写形成する方法が採られている。【０００７】
このようなＯＶＤ転写箔は偽造防止効果としては、十分な機能を果たすが、パスポートの様に顔写真などの画像形成後に該画像上にＯＶＤ転写層を熱的に転写して形成している。そのため、偽造技術の発達した現在では、何らかの手法により転写層を一旦取り去り、画像データなどの改竄を行った後に改めてＯＶＤ転写層を載せるといったことが行われる可能性がある。【０００８】
さらに、盗難されたパスポートなどの認証媒体の写真と顔の形状や雰囲気が似ている人を選定して、ＯＶＤ転写層を印字写真の顔の上から張ることで、画像データの改竄が行われる可能性もある。【０００９】
また、顔写真などの画像情報を形成する手段としての熱転写方式、インクジェット方式あるいは、電子写真方式などのプリンタは、昨今では一般に広く普及している状況を考慮すると、画像形成部を取り除いた後の領域に新たに画像を形成することは、必ずしも困難とは言い切れない。【００１０】
上記のような問題を解決すべく、顔写真などの個人を特定する情報を個人認証媒体に複数個付与する方法が考えられている。その一方法として、顔写真などの画像情報をホログラム又は回折格子などで形成するといった、ホログラムリボンを用いた直接熱転写方式が知られている（例えば、特許文献４参照）。これにより、カラー画像による顔写真などの改竄と同時にホログラム画像の改竄も行わなければ成らなくなるため、より改竄を困難にすることができる。この場合、ホログラム画像と有色インキ画像とを併用して用いることが考えられる（例えば、特許文献５、６参照）。
【先行技術文献】
【特許文献】
【００１１】
【特許文献１】特開２００２−２２６７４０号公報
【特許文献２】特開昭４９−１３１１４２号公報
【特許文献３】特開２００６−１２３１７４号公報
【特許文献４】特開平１０−０４９６４７号公報
【特許文献５】特許第５５６５２５１号
【特許文献６】特許第５５６９１０６号
【発明の概要】
【発明が解決しようとする課題】
【００１２】
しかしながら、ホログラムリボンを用いたホログラム画像形成手段と通常の有色インキ画像との組み合わせでは、目視による真贋判定機能ならびに装飾性の付与を行うことはできるが、更なる偽造防止判定機能として簡易的な機器判定機能も求められている。そこで、本発明では、簡便な手法で判定可能な更なるセキュリティ機能を有するホログラム画像形成用媒体、及び、画像表示媒体を提供することを目的とする。
【課題を解決するための手段】
【００１３】
上記課題を解決するためのホログラム画像形成用媒体は、基材と、前記基材上に積層された転写層であって、少なくとも剥離層、ＯＶＤ層、接着層を有する前記転写層と、を備えるホログラム画像形成用媒体であって、前記転写層のうち、前記ＯＶＤ層以外のいずれかの層が発光性微粒子を含み、前記発光性微粒子が、赤外線の波長から紫外線の波長までの波長領域内に励起スペクトルのピーク波長を有し、かつ、前記発光性微粒子の発光における極大波長が、前記励起スペクトルのピーク波長と互いに異なる。【００１４】
上記ホログラム画像形成用媒体において、前記ＯＶＤ層が回折格子を含む微細凹凸構造部を有し、前記微細凹凸構造部の間において、前記回折格子における空間周波数及び格子角度の少なくとも一方が互いに異なってもよい。【００１５】
上記ホログラム画像形成用媒体において、前記接着層が、前記発光性微粒子を含んでもよい。【００１６】
上記課題を解決するための画像表示媒体は、上記ホログラム画像形成用媒体を用いて形成されたホログラム画像を含む。【００１７】
上記課題を解決するための画像表示媒体は、上記ホログラム画像形成用媒体を用いて形成されたホログラム画像を含む画像表示媒体である。前記画像表示媒体は、前記画像表示媒体を所有する所有者を認証するための認証用画像であって、前記発光性微粒子が形成する前記認証用画像を含み、前記発光性微粒子の発光における極大波長が赤外線の波長領域に含まれ、前記回折格子は、前記回折格子における前記空間周波数によって前記回折格子の射出する回折光の波長が可視領域に含まれるように構成されている。
【発明の効果】
【００１８】
本発明によれば、簡便な手法で判定可能な更なるセキュリティ機能を有するホログラム画像形成用媒体、及び、画像表示媒体を提供することができる。
【図面の簡単な説明】
【００１９】
【図１】ホログラム画像形成用媒体の構成例を模式的に示す断面図である。
【図２】ホログラム画像形成用媒体が備えるＯＶＤ層の構成例を模式的に示す平面図である。
【図３】ホログラム画像形成用媒体を用いた、中間箔へのホログラム画像形成を模式的に示す断面図である。
【図４】ホログラム画像を形成した中間箔の例を模式的に示す断面図である。
【図５（Ａ）】中間箔を被転写体に貼り付けた状態の例を示す断面図である。
【図５（Ｂ）】中間箔の基材を剥がし、被転写体上にホログラム画像が形成された例を示す断面図である。
【図６】ホログラム画像形成用媒体を用いてホログラム画像が形成された画像表示媒体の例を示す平面図である。
【発明を実施するための形態】
【００２０】
以下では、本発明の実施形態について添付図面を参照して説明する。各図面において、実施形態が異なる場合であっても、互いに同一の部材、または、互いに相当する部材には同一の符号を付し、共通する説明は省略する。
【００２１】
画像表示媒体は、ホログラム画像形成用媒体とＹＭＣＫの４色からなるインクリボンとを基材に転写するプロセスにより形成されるものである。あるいは画像表示媒体は、ホログラム画像形成用媒体とＹＭＣＫの４色からなるインクリボンとを中間箔に転写するプロセスと、この中間箔を被転写体上に転写するプロセスとにより形成されるものである。なお、ＹＭＣＫの４色からなる画像情報の形成には、必要に応じて他の媒体およびプロセスを用いてもよい。
【００２２】
以下、一実施形態について、図１から図６を参照しながら説明する。
図１はホログラム画像形成用媒体の構成例を示した断面図である。
【００２３】
図１が示すように、ホログラム画像形成用媒体２００は、ホログラム画像を形成するための微細凹凸構造パターンを含むＯＶＤ層を備えている。具体的には、ホログラム画像形成用媒体２００において、基材２０１の片面にバックコート層２０２が位置し、その反対側の面に、剥離層２０３、ＯＶＤ層２０４、反射層２０５、及び、接着層２０６がこの順に積み重なっている。接着層２０６は、発光性微粒子２０７を含んでいる。ホログラム画像形成用媒体２００は、バックコート層２０２を備えるため、サーマルヘッドによる印字時のスティッキングなどの不具合を低減することができる。
【００２４】
ホログラム画像形成用媒体２００において、剥離層２０３、ＯＶＤ層２０４、反射層２０５、及び、接着層２０６が転写層の一例を構成している。
【００２５】
ホログラム画像は、サーマルヘッドなどの発熱源をホログラム画像形成用媒体２００のバックコート層２０２に接触させ、被着面である中間箔、あるいは、最終形態となる被転写体のいずれかの部位であって、後述するホログラム画像形成部に感熱転写されることで印画される。即ち、ホログラム画像形成用媒体２００には、高温下における基材２０１からの剥離性、ホログラム画像形成用媒体２００のうちで所定以上に加熱された箇所の近傍のみが転写されるための箔キレ性、被着面への密着性、及び、印画時の加熱により画質を損なわない耐熱性が必要である。ホログラム画像形成用媒体２００では、各機能を充たすべく各層の構成素材を適宜選択することができる。
【００２６】
バックコート層２０２は、サーマルヘッドなどの熱源に密着する層であり、主に耐熱性や滑り性が求められる。バックコート層２０２の形成材料には、アクリル樹脂、ウレタン樹脂、アクリルシリコーン共重合体、及び、ウレタンシリコーン共重合体、あるいは、これらにシリコーンオイルやワックス、油脂、及び、微粒子などを添加した公知のものを適宜選択することができる。
【００２７】
基材２０１の形成材料には、ポリエステル樹脂、ポリオレフィン樹脂、ポリスチレン樹脂、メタクリル樹脂、ポリカーボネート樹脂、塩化ビニル樹脂、及び、シクロオレフィンポリマーや、これらの複合体などの合成樹脂が用いられる。基材２０１には、基材２０１の少なくとも一方の面に易接着層のような表面処理が施された層を有するものも使用することができる。
【００２８】
剥離層２０３は、主に基材２０１からの剥離性などに関与する部分であり、剥離層２０３の形成材料には、アクリル樹脂、エポキシ樹脂、ブチラール樹脂、エポキシアクリレート樹脂、及び、ウレタンアクリレート樹脂などを単独あるいは混合物として用いることができる。なお、剥離層２０３の形成材料は、これらに限定されない。更に、これらの樹脂に、ポリエステル樹脂やワックスなどを添加することにより、所望の剥離力が得られるように適宜剥離層２０３の形成材料における組成を選定することができる。但し、剥離層２０３には透明性が必要となるため、形成された剥離層２０３の光透過率は７０％以上であることが望ましい。
【００２９】
ＯＶＤ層２０４の形成材料には、熱や紫外線などの活性線により硬化する公知の樹脂、及び、開始剤を適宜選択することができる。例えば、熱硬化性樹脂として、各種ポリオール樹脂と各種イソシアネート類からなるウレタン樹脂などを用いることができる。また、例えば、紫外線硬化樹脂として、アクリル系ポリマー、及び、アクリル系モノマーなどと光開始剤などとを含んだ公知のものを用いることができる。
【００３０】
ＯＶＤ層２０４の表層には、回折光を得るための任意のパターンが形成されるため、ＯＶＤ層２０４には、ホログラム画像形成用媒体２００の作成工程及び加熱転写時、あるいは転写後の使用環境下において、このパターンの形状が変化することを抑えることが求められる。上述した形成材料によれば、パターンの形状の変化を抑えられる程度の一定以上の耐性をＯＶＤ層２０４に付与することができる。
【００３１】
図２が示すように、ＯＶＤ層２０４の表層パターンは、例えばＲ、Ｇ、Ｂの回折光を射出するための異なるパターンを有する色画面と、熱転写時のホログラム画像形成用媒体２００の位置情報を読み取るためのセンサーマーク部２０４Ｓとから構成されている。色画面はそれぞれ３原色であるＲ（レッド）、Ｇ（グリーン）、Ｂ（ブルー）に対応した空間周波数を有している。
【００３２】
すなわち、ＯＶＤ層２０４の表層パターンは、Ｒエリア２０４Ｒ、Ｇエリア２０４Ｇ、及び、Ｂエリア２０４Ｂを含んでいる。Ｒエリア２０４Ｒは赤色の回折光を射出するための空間周波数を有した回折格子を含み、Ｇエリア２０４Ｇは緑色の回折光を射出するための空間周波数を有した回折格子を含み、Ｂエリア２０４Ｂは青色の回折光を射出するための空間周波数を有した回折格子を含んでいる。Ｒエリア２０４Ｒ、Ｇエリア２０４Ｇ、及び、Ｂエリア２０４Ｂの各々は、微細凹凸構造部の一例である。
【００３３】
ここで、表層パターンであるＲ、Ｇ、Ｂなどの色を有した回折光を射出する各回折格子の空間周波数は、必要とする色の波長、照射光の角度、及び視域によって決定される。
【００３４】
例えば、Ｒ、Ｇ、及び、Ｂのそれぞれの色において、Ｒ光の波長を６２０ｎｍに規定し、Ｇ光の波長を５４０ｎｍに規定し、Ｂ光の波長を４６０ｎｍに規定する。この場合に、ＯＶＤ層２０４が有する表面の法線方向、すなわちＯＶＤ層２０４が広がる２次元平面の法線方向と形成する角度が４５度である方向を照射方向に設定し、照射方向から白色の照射光を当て、法線方向にてＲ、Ｇ、および、Ｂの回折光を観察する場合には、各エリアに下記空間周波数を有するパターンを付与することができる。
【００３５】
Ｒエリア２０４Ｒ  …  １１４０（ｌｉｎｅ／ｍｍ）
Ｇエリア２０４Ｇ  …  １３１０（ｌｉｎｅ／ｍｍ）
Ｂエリア２０４Ｂ  …  １５４０（ｌｉｎｅ／ｍｍ）
【００３６】
但し、ＯＶＤ層２０４の表層パターンはこれらに限定されるものではない。回折格子は、凹部と凸部とが交互に並ぶ構成であり、回折格子において、１つの基準方向と凹部及び凸部が延びる方向とが形成する角度が格子角度である。例えば、ＯＶＤ層２０４の表層パターンは、格子角度が互いに異なる回折格子を含む複数のエリアを含んでもよい。また例えば、ＯＶＤ層２０４の表層パターンは、回折格子の空間周波数と格子角度との両方が互いに異なる複数のエリアを含んでもよい。これらの場合において、各エリアが微細凹凸構造部の一例である。
【００３７】
ホログラム画像形成用媒体２００は、ホログラム画像に反射性を与え、ホログラム効果を増大させるために反射層２０５を備えている。反射層２０５としては、金属薄膜層の他に透明な薄膜層を用いることができる。透明な薄膜層は、ＯＶＤ層２０４とは屈折率が異なる物質から形成されることが望ましく、透明な薄膜層の形成材料には、例えば硫化亜鉛、二酸化チタンなどの屈折率の高い材料を適宜選択することができる。
【００３８】
接着層２０６は、加熱転写の相手すなわち転写先である被着面への接着剤の役割を有している。ホログラム画像形成用媒体２００の転写に用いられる転写方式によっては、転写後においてホログラム画像形成用媒体２００の剥離層２０３との密着性が必要となると同時に、反射層２０５との密着性も合わせて有する必要がある。
【００３９】
このため、接着層２０６の形成材料には、例えばアクリル樹脂、エポキシ樹脂、ウレタン樹脂、ポリエステル樹脂、塩化ビニル−酢酸ビニル共重合体、及び、塩素化ＰＰなどを所望の密着性や熱物性に合わせて単独ないし複数の混合物として適宜使用することができる。
【００４０】
また、接着層２０６の箔キレ性や耐ブロッキング性能を向上させるため、任意の微粒子を接着層２０６の形成材料である上述した樹脂に添加することもできる。ここで、微粒子には、例えばスチレン系樹脂、アクリル系樹脂、シリコーン系樹脂、テフロン（登録商標）系樹脂、尿素樹脂、及び、ホルムアルデヒド縮合物などからなる有機系粒子、ガラスビーズ、シリカ、アルミナ、炭酸カルシウム、及び、金属酸化物などからなる無機系微粒子、または、気泡や可視光の特定の波長に吸収を有するような色素顔料、あるいは、発光性微粒子２０７などを用いることができる。また、複数種類の微粒子を併用することも可能である。
【００４１】
一般的には、微粒子を添加することにより接着層２０６の表面が凹凸を有することとなる。この凹凸により耐ブロッキング性能は向上するが、被着面への密着性は低下する懸念があるため、所望の性能に合わせて上述した樹脂及び微粒子を適宜選定して、材料設計を行うことが好ましい。
【００４２】
ここで、発光性微粒子２０７の形成材料として、無機蛍光顔料、有機蛍光顔料、アップコンバージョン蛍光顔料、及び、燐光顔料などの公知の材料を挙げることができる。なお、発光性微粒子２０７は、赤外線の波長から紫外線の波長までの波長領域内に励起スペクトルのピークを有し、この励起スペクトルのピーク波長と異なる波長領域に発光における極大波長を有する光を発光する発光性微粒子であればよく、発光性微粒子２０７の形成材料は上述した材料に限定されるものではない。すなわち、発光性微粒子２０７の発光における極大波長は、励起スペクトルのピーク波長と互いに異なっていればよい。
【００４３】
発光性微粒子２０７を用いて、通常の使用下では不可視であり、すなわち、励起光が照射されていない状態では不可視であり、励起光を照射した際に確認が可能な発光画像を形成することで、ホログラム画像の視覚効果を損なうことなく、第二の真贋判定用画像をホログラム画像形成用媒体２００に付与することができる。そのため、発光性微粒子２０７の励起スペクトルにおけるピーク波長の含まれる波長領域は、可視領域以外であることが望ましい。更には、最終的な画像表示媒体への耐光性負荷などを考慮すると、発光性微粒子２０７の励起スペクトルにおけるピーク波長は、赤外線の波長領域または近紫外線の波長領域に含まれることが望ましい。
【００４４】
接着層２０６に添加する微粒子として発光性微粒子２０７を用いることで、ホログラム画像形成用媒体２００により、被転写体に転写されたホログラム画像と同様の発光性微粒子２０７による画像を被転写体に形成することができる。これにより、ホログラム画像による通常照明下での真贋判定に加えて、紫外光や赤外光で被転写体を照明することで、発光性微粒子２０７による画像を観察できるため、ホログラム画像と発光性微粒子２０７による画像とにより、二重の真贋判定が可能となる。
【００４５】
発光性微粒子２０７は、部分的に濃度の高い部分と濃度の低い部分を有していてもよい。この濃度の高低により、微細な幾何学模様からなる彩文柄などの偽造防止柄を被転写体にさらに付与することができる。これにより、発光性微粒子２０７による画像の偽造防止性をさらに向上させることができる。
【００４６】
但し、発光性微粒子２０７として、発光における極大波長を赤外線の波長領域に有するような発光性微粒子２０７を用いた場合には、ＣＣＤなどの受光素子により発光した真贋判定用画像を容易に検知することはできるが、目視による判定は極めて困難となる。このため、故意に偽造を試みようとする者にとっては、真贋判定用画像の存在を認識することがより困難となり、真贋判定用画像を有する被転写体の偽造耐性も向上させることができる。
【００４７】
なお、発光性微粒子２０７として、発光における極大波長を可視光の波長領域に有するような発光性微粒子を用いた場合には、紫外線または赤外光で照明することで、発光性微粒子２０７による画像を目視で観察できるため、簡便な方法により真贋判定用画像を検知することができる。
【００４８】
発光における極大波長を赤外線の波長領域に有する発光性微粒子２０７と、発光における極大波長を可視光の波長領域に有する発光性微粒子２０７とをそれぞれ単独で用いることもできるし、発光における極大波長を赤外線の波長領域に有する発光性微粒子２０７と、発光における極大波長を可視光の波長領域に有する発光性微粒子２０７との両方を用いることもできる。このように、発光における極大波長が互いに異なる２種類以上の発光性微粒子２０７を用いた場合には、異なった波長での真贋判定が行えるため、真贋判定用画像による偽造防止効果をさらに高めることができる。
【００４９】
その真贋判定を実施する際には、励起スペクトルを有する照射光としてＬＥＤ、レーザー、及び、各種ランプなどの光源を用意するとともに、目視判定と機器判定を組み合わせることも可能であるが、発光光を検知する検出装置として、切り替え可能な光学フィルタを設けた受光素子などを用いることで、真贋判定が可能となる。すなわち、受光光の波長を赤外線の波長領域と可視光の波長領域との間で切り替えることが可能な光学フィルタを有した受光素子を備える検出装置を用いることで、赤外線の波長領域における真贋判定と、可視光の波長領域における真贋判定とを検出装置によって行うことができる。
【００５０】
光学フィルタは、発光性微粒子２０７の発光する波長の光を透過し、外乱光と、必要に応じて励起用の照射光とを遮断するためのものである。光学フィルタには、任意の波長よりも長い波長の光を透過し、任意の波長よりも短い光を遮断するロングパスフィルタ、及び、バンドパスフィルタなどのフィルタを用いることができる。
【００５１】
また、発光性微粒子２０７を接着層２０６に添加する構成の場合には、発光性微粒子２０７の平均粒径をｒ、接着層２０６の厚みをｈとすると、ｈ／５≦ｒ≦５ｈであることが望ましく、ｈ／３≦ｒ≦３ｈであることがより望ましい。これはｒ＜ｈ／３では表面凹凸が非常に微小となり耐ブロッキング性能が低下し始め、ｒ＜ｈ／５では耐ブロッキング性能及び箔キレ性が著しく損なわれるためである。また、ｒ＞３ｈでは耐ブロッキング性能及び箔キレ性は良好であるが、その表面凹凸の大きさから被着面への密着性が低下し始め、ｒ＞５ｈでは被着面への密着性及び転写性が著しく低下し、ホログラム画像形成が困難となるためである。
【００５２】
更に、接着層２０６の全体重量に対する発光性微粒子２０７の重量添加量における百分率をＷｂとすると２％≦Ｗｂ≦５０％であることが好ましく、５％≦Ｗｂ≦３０％であることがより好ましい。これは、Ｗｂ＜５％の場合はブロッキング耐性が低下し始め、Ｗｂ＜２％ではブロッキング耐性及び箔キレ性が著しく低下するためである。また、Ｗｂ＞５０％では被着面への密着性及び皮膜強度が著しく低下し、転写時に接着層２０６の内部で凝集破壊を引き起こすためである。
【００５３】
接着層２０６におけるブロッキング耐性及び箔キレ性などの各種特性の更なる向上のために、発光性微粒子２０７以外の微粒子のうち、１種あるいは２種以上の微粒子を適宜選択して発光性微粒子２０７と併用することができる。
【００５４】
ホログラム画像形成用媒体２００において、発光性微粒子２０７を接着層２０６に添加することで、箔キレ性、耐ブロッキング性、被着面への密着性などが良好な接着層２０６を形成することができる。かつ、発光性微粒子２０７が添加された接着層２０６を有するホログラム画像形成用媒体２００によれば、通常の使用下では不可視であり、任意の励起光を照射した際に確認することが可能な発光画像を被転写体に付与することが可能となり、視覚効果の非常に高い個別認証媒体あるいは嗜好用媒体を形成することができる。
【００５５】
以上、発光性微粒子２０７を接着層２０６に添加する場合を例として説明したが、この発光性微粒子２０７は、ホログラム画像形成用媒体２００が有するその他の層、例えば剥離層に添加してもよい。なお、発光性微粒子２０７をＯＶＤ層２０４に添加した場合には、この発光性微粒子２０７による表面凹凸によってホログラム画像を形成する構造パターンが損傷されることから、ＯＶＤ層２０４を除くいずれかの層に添加する必要がある。
【００５６】
最終的な被転写体上にホログラム画像を形成する際には、画像形成性を考慮すると、被転写体上にホログラム画像形成用媒体２００から直にホログラム画像を転写する手法に比べて、感熱転写時にホログラム画像形成用媒体２００の挙動に追従するような中間箔を用いて被転写体上にホログラム画像を形成する手法がより好ましい。図３から図５は、中間箔を用いた場合のホログラム画像形成に関わる断面構造を示す図である。
【００５７】
図３及び図４は、ホログラム画像形成用媒体２００を被着面へ感熱転写する際の断面構造を示す図である。ホログラム画像形成用媒体２００のバックコート層２０２に発熱源４００を接触させ、ロール４０１を用いて圧着することにより、発熱源４００を当てた近傍が受像層３０１に接着すると同時に剥離層２０３と基材２０１との界面にて剥離層２０３を剥離することで、受像層３０１上にホログラム画像を形成することが可能となる。
【００５８】
すなわち、図３が示すように、受像層３０１と基材３０２とを備える中間箔３００を準備する。ホログラム画像形成用媒体２００の接着層２０６と、中間箔３００の受像層３０１とが対向する状態で、ホログラム画像形成用媒体２００のバックコート層２０２に発熱源４００を接触させ、中間箔３００の基材３０２に接触させたロール４０１によって、ホログラム画像形成用媒体２００と中間箔３００とを圧着する。これにより、接着層２０６のうち、ホログラム画像形成用媒体２００の厚さ方向において、発熱源４００と重なる部分が、受像層３０１に接着する。
【００５９】
図４が示すように、剥離層２０３と基材２０１との界面において剥離層２０３を剥離することによって、受像層３０１上にホログラム画像を含むホログラム印画層２０８を形成することができる。
【００６０】
図５は、被転写体５００上にホログラム画像を形成した例における断面構造を示す図である。図３及び図４が示すように、受像層３０１にホログラム画像を形成した後、言い換えれば、ホログラム印画層２０８を形成した後、中間箔３００を被転写体５００に熱圧着することにより、最終的な画像表示媒体を得ることができる。
【００６１】
ここで、図５（Ａ）は、中間箔３００にホログラム画像を形成した後、中間箔３００の基材３０２ごと被転写体５００に熱圧着して画像表示媒体を形成している構成を示している。これに対して、図５（Ｂ）は、中間箔３００にホログラム画像を形成した後、被転写体５００に熱圧着し、その後に、中間箔３００の基材３０２を剥離した構成を示している。
【００６２】
中間箔３００は、基材３０２に少なくとも２種以上の異なる材質の樹脂層からなる受像層３０１が形成された構成である。すなわち、受像層３０１は、２種類以上の樹脂を混合した混合物から形成されている。受像層３０１の形成材料には、アクリル樹脂、ポリエステル樹脂、及び、エポキシ樹脂などの公知の熱可塑性樹脂を適宜組み合わせて使用することができる。
【００６３】
被転写体５００は基材を含み、基材の形成材料は、紙、樹脂、及び、合成紙などから、画像表示媒体の使用する形態に応じて適宜選択することが可能である。また、被転写体５００の基材における表面には、基材に付与したい物性に合わせて、ホログラム画像を貼着する前に、所定の表面処理を施すことが可能である。具体的には、表面処理には、転写画像との密着性を向上させるためのアンカー層を形成する処理などが挙げられる。
【００６４】
ここで、帯電防止機能を有する層、剥離性保護層、発光性微粒子２０７の励起波長並びに発光における極大波長を含まない領域の波長を吸収する層など層であって、印画物を保護する機能を有する層を中間箔３００に付与してもよい。
【００６５】
図６は、画像表示媒体６０２の一例における平面構造を示す図である。
図６が示すように、画像表示媒体６０２を個別認証用媒体として使用する際には、被転写体５００において、写真画像表示部６０１の近傍のホログラム画像印字部６００にホログラム画像を含むホログラム印画層２０８を形成することにより、視認可能な認証用の画像表示媒体６０２を形成することができる。
【００６６】
以上のようにして得られた画像表示媒体６０２において、写真画像表示部６０１とその近傍に設置されたホログラム画像印字部６００の画像を目視によって比較観察することにより、写真画像が改竄されたものであるかどうか容易に判別することができる。この場合には、例えば、写真画像とホログラム画像とが互いに同じ画像であることが好ましい。
【００６７】
また、ホログラム印画層２０８が含む発光性微粒子２０７に対し、励起スペクトルのピーク波長を有するＬＥＤや紫外線ランプなどを用いて励起光を照射し、ホログラム画像印字部６００のホログラム印画層２０８が発光することを確認することで、画像表示媒体６０２の真贋を判定することができる。すなわち、画像表示媒体６０２は、接着層２０６が含む発光性微粒子２０７によって、更なる偽造防止効果を発揮することができる。
【００６８】
画像表示媒体６０２は、画像表示媒体６０２を所有する所有者を認証するための認証用画像であって、発光性微粒子２０７が形成する認証用画像を含んでもよい。この場合には、発光性微粒子２０７の形成する認証用画像は、所有者の顔画像、所有者の指紋を表示する画像、及び、所有者の氏名などを表示する画像などであればよい。すなわち、認証用画像は、画像表示媒体６０２の所有者に属する情報を含む画像であればよい。発光性微粒子２０７は、発光における極大波長が赤外線の波長領域に含まれる発光性微粒子であることが好ましい。
【００６９】
ホログラム画像印字部６００には、上述したように、ホログラム印画層２０８が形成され、ホログラム印画層２０８は、ＯＶＤ層２０４を含んでいる。ＯＶＤ層２０４が含む回折格子は、回折格子における空間周波数によって、回折格子の射出する回折光の波長が可視領域に含まれるように構成されていることが好ましい。例えば、回折格子は、上述したＲエリア２０４Ｒ、Ｇエリア２０４Ｇ、及び、Ｂエリア２０４Ｂが含む回折格子であればよい。
【００７０】
こうした構成によれば、例えば、赤外線の波長領域に含まれる光を検出するＣＣＤを用いて画像表示媒体６０２から出る光を検知したときに、ＣＣＤは、発光性微粒子２０７の発光する光を検知する一方で、回折格子が射出する回折光を検知しない。
【００７１】
そのため、ＣＣＤが発光性微粒子２０７の形成する認証用画像を検知することが、回折格子の射出する回折光によって妨げられることが抑えられる。それゆえに、画像表示媒体６０２によれば、ホログラム画像印字部６００に形成された認証用画像の読み取りと、認証用画像を用いた所有者の認証とが、回折光によって形成される像によって妨げられることを抑えつつ、ホログラム画像と発光性微粒子２０７による画像とを表示することができる。
【００７２】
また、画像表示媒体６０２上に所定の層を印刷あるいは貼合にて形成させる場合には、その最表面上にアンカー層を形成する処理やコロナ処理のような表面処理を施してもよい。
【符号の説明】
【００７３】
２００  …  ホログラム画像形成用媒体
２０１  …  基材
２０２  …  バックコート層
２０３  …  剥離層
２０４  …  ＯＶＤ層
２０４Ｒ  …  Ｒエリア
２０４Ｇ  …  Ｇエリア
２０４Ｂ  …  Ｂエリア
２０４Ｓ  …  センサーマーク部
２０５  …  反射層
２０６  …  接着層
２０７  …  発光性微粒子
２０８  …  ホログラム印画層
３００  …  中間箔
３０１  …  受像層
３０２  …  基材
４００  …  発熱源
４０１  …  ロール
５００  …  被転写体
６００  …  ホログラム画像印字部
６０１  …  写真画像表示部
６０２  …  画像表示媒体
【図１】
2016208590.tif 000003
【図２】
2016208590.tif 000004
【図３】
2016208590.tif 000005
【図４】
2016208590.tif 000006
【図５（Ａ）】
2016208590.tif 000007
【図５（Ｂ）】
2016208590.tif 000008
【図６】
2016208590.tif 000009
【国際調査報告】
2016208590.tif 000010
2016208590.tif 000011
2016208590.tif 000012
2016208590.tif 000013
2016208590.tif 000014
2016208590.tif 000015
2016208590.tif 000016